(57)【要約】【課題】スラットの表裏を取替自在にカバーによって被覆してブラインドを清潔に保ち、或いは、カバーを取替えてブラインドのデザインを一新することが出来、又、スラットに太陽電池素子を組込むときは、その太陽電池素子の性能が損なわれないようにする。【解決手段】スラット１３をスラット基板１４とその表裏を被覆するカバー１５とで構成し、ブラインドをレール１１を走行する複数個の各ハンガー１２にスラット１３を吊下げたバーチカルブラインドとする。カバー１５は、表側生地１６と裏側生地１７を側縁１８において連続させて袋状に形成する。基板１４の上端と袋状カバー１５の上端とは、ハンガー１２において接合する。基板１４には太陽電池素子を組込むことが出来る。その場合、カバーの表側生地１６と裏側生地１７との何れか少なくとも一方の生地を光透過可能にする。【選択図】図４
2011017235.tif 000002
【特許請求の範囲】
【請求項１】
レール（１１）を走行する複数個の各ハンガー（１２）にスラット（１３）を吊下げて構成され、スラット（１３）がスラット基板（１４）とその基板（１４）の表裏を被覆するカバー（１５）とから成り、カバー（１５）が表側生地（１６）と裏側生地（１７）が側縁（１８）において連続した袋状カバーとなっているバーチカルブラインド。
【請求項２】
スラット基板（１４）の上端がハンガー（１２）に取付けられており、カバー（１５）の上端がスラット基板（１４）に接合されている前掲請求項１に記載のバーチカルブラインド。
【請求項３】
カバー（１５）の上端がハンガー（１２）に取付けられている前掲請求項１に記載のバーチカルブラインド。
【請求項４】
スラット基板（１４）の上端とカバー（１５）の上端が、それぞれハンガー（１２）に接合されている前掲請求項１に記載のバーチカルブラインド。
【請求項５】
ハンガー（１２）が、下向きの表側舌片（２０）と裏側舌片（２１）に挟まれた嵌込溝（１９）を有し、その嵌込溝（１９）にスラット基板（１４）の上端が挟込まれており、その嵌込溝（１９）を間に挟んで向き合う表側舌片（２０）と裏側舌片（２１）に、カバー（１５）の表裏の生地（１６・１７）の上端が接合されている前掲請求項４に記載のバーチカルブラインド。
【請求項６】
雌雄対応する雄型面ファスナー（２２）と雌型面ファスナー（２３）が、ハンガーの表裏の舌片（２０・２１）とカバーの表裏の生地（１６・１７）に取付けられており、それらの面ファスナー（２２・２３）を介して、ハンガー（１２）にカバー（１５）が係脱自在に接合されている前掲請求項５に記載のバーチカルブラインド。
【請求項７】
少なくともカバーの表側生地（１６）と裏側生地（１７）との何れか一方の生地が光透過性を有する前掲請求項１〜６の何れかに記載のバーチカルブラインド。
【請求項８】
スラット基板（１４）に太陽電池素子が組込まれている前掲請求項７に記載のバーチカルブラインド。
【請求項９】
少なくともカバーの表裏何れか一方の生地（１６・１７）が布帛である前掲請求項１〜８の何れかに記載のバーチカルブラインド。
【発明の詳細な説明】
【技術分野】
【０００１】
本発明は、屋内装置品として室内を装飾するために使用されるブラインドに関するものである。
【背景技術】
【０００２】
ベネシャンブラインドのスラット（羽根板）の表裏を布帛によって被覆することは公知である（例えば、特許文献１、２参照）。
【０００３】
ベネシャンブラインドのスラットに太陽電池素子を組込むことは公知である（例えば、特許文献３、４、５、６、７、８、９、１０、１１、１２参照）。
【０００４】
そのスラットに組込可能な太陽電池素子は、概して、ベース皮膜とプリント電極とプリント光活性材料とプリント透明電極と透明皮膜とによる厚み５００μｍ前後で重量６００ｇ／ｍ2 前後の可撓な積層構造になっている（例えば、特許文献３、４、５、６、７、８、９、１０、１１、１２、１３、１４、１５、１６、１７、１８参照）。
【先行技術文献】
【特許文献】
【０００５】
【特許文献１】特開２００８−２８５９４３
【特許文献２】特開平０７−００４１５６
【特許文献３】実開昭５７−１７３３５８
【特許文献４】実開昭５９−００４６５３
【特許文献５】特開昭６０−２４２２８７
【特許文献６】特開平０２−３０８０８６
【特許文献７】特開２０００−２２３７２７
【特許文献８】特開２０００−３４０８２４
【特許文献９】特開２００１−０８２０５８
【特許文献１０】特開２００３−２０１７９５
【特許文献１１】特開２００４−０２７６６１（特許第３８７９９１７号）
【特許文献１２】特開２００７−１１３３６５
【特許文献１３】特開平０６−３５０１１７（特許第３０５７６７１号）
【特許文献１４】特開平０９−０１８０４４
【特許文献１５】特開平０９−０５１１１４
【特許文献１６】特開平０９−０９２８６７
【特許文献１７】特開平１０−２３３５１７（特許第３４４９１５５号）
【特許文献１８】特開２０００−２９４８１５
【発明の概要】
【発明が解決しようとする課題】
【０００６】
ベネシャンブラインドは、ラダーコード（連結鎖）によって珠子繋ぎになった複数板の各スラットに穿設したガイド孔に挿通した昇降コードによって昇降開閉操作される仕組になっている。
【０００７】
そのため、スラットの表裏を布帛によって被覆したベネシャンブラインドでは、その被覆する布帛を取外して洗濯し、或いは、別の布帛に取替えてデザインを一新しようとしても、昇降コードを抜き取ってラダーコードからスラットを取外し、布帛を取替えてから再びラダーコードに装着し、昇降コードを挿通し直さなければならず、その作業が非常に煩雑で、布帛の取外しは事実上不可能視されている。
【０００８】
そして、ベネシャンブラインドのスラットは、その両端のそれぞれをラダーコードで戴承する両端支持梁構造になるので、その使用中に両端のラダーコードとラダーコードの間の中間部が折曲がったり撓み易い。
【０００９】
そのため、スラットに太陽電池素子を組込むときは、スラットが折曲がって電極が破断し易い。そして、太陽電池素子の電極は、昇降コードを挿通するために穿設されたガイド孔によって断絶されるので、その電極をスラットの端から端まで連続させることは出来ない。加えて、各スラットの太陽電池素子間を接続するリード線は、ラダーコードのように可撓ではなく、スラットを吊上げてベネシャンブラインドを開けると、リード線が輪奈状に突出るので、そのリード線によってベネシャンブラインドの体裁が損なわれる。
【００１０】
そこで本発明は、スラットの表裏を取替自在にカバーによって被覆することを第１の目的とする。本発明の第２の目的は、スラットの性能を損なうことなく太陽電池素子をスラットに組込むことにある。
【課題を解決するための手段】
【００１１】
本発明は、レール１１を走行する複数個の各ハンガー１２にスラット１３を吊下げて構成され、スラット１３がスラット基板１４とその基板１４の表裏を被覆するカバー１５とから成り、カバー１５が表側生地１６と裏側生地１７が側縁１８において連続した袋状カバーとなっているバーチカルブラインドを第１の特徴とする。
【００１２】
本発明の第２の特徴は、上記第１の特徴に加えて、スラット基板１４の上端がハンガー１２に取付けられており、カバー１５の上端がスラット基板１４に接合されている点にある。
【００１３】
本発明の第３の特徴は、上記第１の特徴に加えて、カバー１５の上端がハンガー１２に取付けられている点にある。
【００１４】
本発明の第４の特徴は、上記第１の特徴に加えて、スラット基板１４の上端とカバー１５の上端が、それぞれハンガー１２に接合されている点にある。
【００１５】
本発明の第５の特徴は、上記第４の特徴に加えて、ハンガー１２が、下向きの表側舌片２０と裏側舌片２１に挟まれた嵌込溝１９を有し、その嵌込溝１９にスラット基板１４の上端が挟込まれており、その嵌込溝１９を間に挟んで向き合う表側舌片２０と裏側舌片２１に、カバー１５の表裏の生地１６・１７の上端が接合されている点にある。
【００１６】
本発明の第６の特徴は、上記第５の特徴に加えて、雌雄対応する雄型面ファスナー２２と雌型面ファスナー２３が、ハンガーの表裏の舌片２０・２１とカバーの表裏の生地１６・１７に取付けられており、それらの面ファスナー２２・２３を介して、ハンガー１２にカバー１５が係脱自在に接合されている点にある。
【００１７】
本発明の第７の特徴は、上記第１と第２と第３と第４と第５と第６の何れかの特徴に加えて、少なくともカバーの表側生地１６と裏側生地１７との何れか一方の生地が光透過性を有する点にある。
【００１８】
本発明の第８の特徴は、上記第７の特徴に加えて、スラット基板１４に太陽電池素子が組込まれている点にある。
【００１９】
本発明の第９の特徴は、上記第１と第２と第３と第４と第５と第６と第７と第８の何れかの特徴に加えて、少なくともカバーの表裏何れか一方の生地１６・１７が布帛である点にある。
【発明の効果】
【００２０】
本発明のブラインドは、スラット１３をハンガー１２に垂直に吊下げて構成されるバーチカルブラインドであり、ハンガー１２から取外すことで個々のスラット１３を個別に取出すことが出来、その各スラット１３を個別にカバー１５と基板１４とに分離することが出来、その際、カバー１５が袋状になっているので、カバー１５から基板１４を抜き出すことで両者を分離することが出来る。
従って、カバー１５の洗濯や取替えが自由自在になり、カバー１５を洗濯し或いは取替えてブラインドを清潔に保ち、又、ブラインドのデザインを一新することが出来る。
【００２１】
基板１４とカバー１５とは、基板１４の上端をハンガー１２に接合し、カバー１５の上端を基板１４に接合して一体化してもよいし、カバー１５の上端をハンガー１２に接合し、基板１４の上端をカバー１５に接合して一体化してもよく、又、基板１４の上端とカバー１５の上端をそれぞれハンガー１２に接合して一体化してもよい。
【００２２】
そのように、基板１４の上端とカバー１５の上端を接合して一体化したスラット１３は、レール１１に吊したまま、カバー１５の上端をハンガー１２や基板１４から外せば、靴下がずれ落ちるように、カバー１５は、基板１４から滑り落ちて外れる。
カバー１５を装着する場合には、そのレール１１に吊されたままになっている基板１４に靴下を履かせるように、基板１４の下端をカバー１５の上端の挿入口２９に差込み、そのままカバー１５を引き上げれば、カバー１５が基板１４に装着されることになる。
そのカバー１５の着脱過程において、基板１４はレール１１に吊下げられたままになっており、バーチカルブラインドの遮蔽装置としての機能が維持される。
【００２３】
雌雄対応する雄型面ファスナー２２と雌型面ファスナー２３が、ハンガーの表裏の舌片２０・２１とカバーの表裏の生地１６・１７に取り付けられており、その面ファスナー２２・２３を介して、ハンガー１２にカバー１５が係脱自在に接合されているバーチカルブラインドでは、ワンタッチでカバー１５を基板１４に着脱することが出来、カバー１５の取替作業を効率的に行うことが出来る。
【００２４】
ハンガー１２が下向きの表側舌片２０と裏側舌片２１に挟まれた嵌込溝１９を有し、その嵌込溝１９に基板１４の上端が挟込まれているスラット１３では、基板１４をその幅方向に引っ張るだけでハンガー１２から取外すことが出来るので、バーチカルブラインドを効率的に組立てることが出来、又、基板１４が傷んだ場合には効率的に取替えることが出来る。
【００２５】
カバーの表側生地１６と裏側生地１７との何れか一方の生地が光透過性を有するスラット１３では、その基板１４に太陽電池素子を組込む場合でも、その太陽電池素子の機能がカバー１５によって損なわれず、バーチカルブラインドを太陽光による発電装置に兼用することが出来る。
【図面の簡単な説明】
【００２６】
【図１】本発明に係るスラットの要部斜視図である。
【図２】本発明に係るスラットの要部斜視図である。
【図３】本発明に係るスラットの要部斜視図である。
【図４】本発明に係るバーチカルブラインドの斜視図である。
【発明を実施するための形態】
【００２７】
カバー１５の表側生地１６や裏側生地１７には、プラスチックフイルム、天然皮革や人工皮革、合成皮革などの皮革類、織物や編物、不織布等の布帛等を使用することが出来る。スラット基板１４には、プラスチック薄板や金属薄板が使用される。
スラット基板１４の厚みは、プラスチック薄板では０．３〜１．０ｍｍとし、金属薄板では０．１ｍｍ〜０．５ｍｍにするとよい。カバー１５の表側生地１６や裏側生地１７の目付けは１００ｇ／ｍ2 以下にすることが出来る。
そのように生地１６・１７が低目付けで目粗（ポーラス）であっても、スラット基板１４に補強されるので、スラット１３が捩じれるようなことはない。
【００２８】
側縁１８で表側生地１６と裏側生地１７を連続させるためには、それら両者の側縁同士を高周波や超音波によって融着縫合し、或いは、縫糸によってミシン縫合する。
表側生地１６と裏側生地１７がプラスチックフイルムであれば、それらを押出・ブロー成型機によって袋状ないし筒状に一体的に射出・吹出成形し、表側生地１６と裏側生地１７を側縁１８において連続させることが出来る。
表側生地１６と裏側生地１７が織編布帛であれば、丸編機や円形織機によって筒状に織編成し、或いは、ダブルラッシェル経編機や平織機によって袋状に織編成し、表側生地１６と裏側生地１７を側縁１８において連続させることが出来る。
【００２９】
表側生地１６と裏側生地１７を袋状に織編成する場合において、その一方を光透過性生地とし、他方を非光透過性の遮蔽性生地とするためには、ダブルラッシェル経編機や平織機によって表側生地１６と裏側生地１７を上下・表裏二重に織編成しつつ、両者の側縁１８を連結糸によって連結すればよく、その際、表側生地１６と裏側生地１７の織編規格を変えて一方をポーラスなメッシュ生地とし、或いは、抜蝕捺染によって一方をポーラスなメッシュ生地にすることが出来る。
【００３０】
表側生地１６と裏側生地１７には、ジヤカード装置によって織編組織による絵柄を描出することが出来、又、スクリーン捺染やインクジェット捺染によって絵柄を描出することも出来る。
【００３１】
レール１１には、スライダー２５の走行する走行溝２６を有するＣ字形断面形状のチャネル型レールが使用され、その走行溝２６に係合して走行するスライダー２５のリング３２にハンガー１２のフック３３が引っ掛けられる。
リング３２やフック３３を除外し、スライダー２５とハンガー１２とを一体的に構成することも出来る。
レール１１に吊下げられる複数板の隣合うスラット１３・１３には、それらの上端と上端を連鎖する上側連結鎖２７、および、下端と下端を連鎖する下側連結鎖２８を取付けることも出来る。
【００３２】
図１は、カバー１５の表側生地１６と裏側生地１７およびスラット基板１４のそれぞれにハンガー１２ａ・１２ｂ・１２ｃが取付けられているスラット１３を図示しており、それらのハンガーのフック３３ａ・３３ｂ・３３ｃを同じスライダー２５のリング３２に引っ掛けることで、カバー１５とスラット基板１４が一体化したスラット１３を構成することになる。表側生地と裏側生地とは側縁において連続した袋状カバーとなっている。
【００３３】
図２は、スラット基板１４の上端がハンガー１２に取付けられているスラット１３を図示しており、カバー１５の上端がスラット基板１４に接合されている。
【００３４】
図３は、カバー１５の上端がハンガー１２に取付けられているスラット１３を図示している。
カバー１５は、表側生地１６と裏側生地１７の左右の側縁１８が連続して袋状に構成されており、その裏側生地１７の上端がハンガー１２に取付けられており、表側生地１６の上端と裏側生地１７の上端の間の差込口３４からスラット基板１４が袋状カバー１５に差し込まれている。その差し込まれたスラット基板１４の上端は、裏側生地１７の上端に接合されている。
【００３５】
図４は、スラット基板１４の上端とカバー１５の上端が、それぞれハンガー１２に接合されているバーチカルブラインドを図示する。
ハンガー１２は、下向きの表側舌片２０と裏側舌片２１に挟まれた嵌込溝１９を有し、その嵌込溝１９にスラット基板１４の上端が挟込まれており、その嵌込溝１９を間に挟んで向き合う表側舌片２０と裏側舌片２１に、カバー１５の表裏の生地１６・１７の上端が接合されている。
ハンガーの表裏の舌片２０・２１とカバーの表裏の生地１６・１７には雌雄対応する雄型面ファスナー２２と雌型面ファスナー２３が取付けられており、それらの面ファスナー２２・２３を介して、ハンガー１２にカバー１５が係脱自在に接合されている。
レール１１には、スライダー２５の走行する走行溝２６を有するＣ字形断面形状のチャネル型レールが使用され、その走行溝２６に係合して走行するスライダー２５のリング３２にハンガー１２のフック３３が引っ掛けられている。
レール１１に吊下げられる複数板の隣合うスラット１３・１３には、それらの上端と上端を連鎖する上側連結鎖２７、および、下端と下端を連鎖する下側連結鎖２８が取付けられている。
カバー１５の下端には重り２４が取り付けられる。
【００３６】
図４に図示するバーチカルブラインドでは、スライダー２５の走行する走行溝２６を有するＣ字形断面形状のチャネル型レール１１が使用され、その走行溝２６に係合して走行するスライダー２５にハンガー１２が係止されているので、スラット１３をレール１１に沿って移動させて開閉することが出来る。
そして、スライダー２５は、レール内に設けられた回転機構により、回転駆動可能であり、又、吊り上げられている全スラット１３・１３・１３………も同時にスラットの軸芯を中心に回転可能である。
【００３７】
従って、太陽電池素子の組込まれているスラット１３では、刻々と変化する太陽光の入射角度に合わせて全てのスラット１３・１３・１３………の向きを変えることで、その発電量を常に最高の状態に維持することが出来る。
バーチカルブラインドは、太陽光の入射する窓際に吊るされるものであるから、それに太陽電池素子の組込まれていて発電機能を有するとしても、そのことがバーチカルブラインドの遮蔽装置としての本来の機能の妨げになることはない。
【００３８】
図４に図示するように、ハンガー１２の嵌込溝１９に挟み込んだ基板１４の上端を係脱自在に係止するためには、スラット１３の幅方向に貫通した嵌込孔３０をハンガー１２に設け、嵌込孔３０に嵌込溝１９を連続させ、スラット１３の幅方向に向けて、係止部材３１と共に基板１４の上端を嵌込孔３０に差し込むとよい。その場合、係止部材３１は、折畳んだ基板１４の上端によって包み込むことも出来、又、基板１４の上端に接着剤やビス等によって接合することも出来る。
【００３９】
カバー１５の上端をハンガー１２に接合するためには、面ファスナー２２・２３の他に互いに係合するフックやホック等の慣用される係止具を使用することも出来る。
【００４０】
太陽電池素子がスラット１３に組込まれているバーチカルブラインドでは、太陽電池素子から電流を取出すリード線（電線）に上側連結鎖２７を利用することも出来る。
カバー１５の下端に重り２４が取り付けられているスラット１３では、その重り２４の重力が作用して基板が伸縮することがなく、従って、スラット基板１４に太陽電池素子が組込まれていても、その重り２４によって太陽電池素子性能が損なわれることがない。
【産業上の利用可能性】
【００４１】
本発明のバーチカルブラインドは、スラット基板１４に太陽電池素子を組込むことによって、太陽光による発電装置として使用することが出来る。
その発電装置は、その外観からして一種のバーチカルブラインドであり、室内装飾の妨げにならず、その使用過程で邪魔にもならない。
【００４２】
板状を成す太陽電池素子では、それをそのままスラット基板１４として使用することも出来、又、プラスチック薄板や金属薄板で補強してスラット基板１４として使用することも出来る。
【００４３】
カバー１５に消臭剤、芳香剤、害虫忌避剤等の機能性化合物を担持させて、本発明のバーチカルブラインドを消臭装置、芳香装置、防虫装置等の機能性装置として使用することも出来、その機能をカバー１５を取替えて刷新することも出来る。
【符号の説明】
【００４４】
１１：レール
１２：ハンガー
１３：スラット
１４：スラット基板
１５：カバー
１６：表側生地
１７：裏側生地
１８：側縁
１９：嵌込溝
２０：表側舌片
２１：裏側舌片
２２：雄型面ファスナー
２３：雌型面ファスナー
２４：重り
２５：スライダー
２６：走行溝
２７：上側連結鎖
２８：下側連結鎖
２９：挿入口
３０：嵌込孔
３１：係止部材
３２：リング
３３：フック
３４：差込口
【図１】
2011017235.tif 000003
【図２】
2011017235.tif 000004
【図３】
2011017235.tif 000005
【図４】
2011017235.tif 000006